(57)【要約】【課題】スレーブモードの画像信号線駆動回路の機能を有効に活用して、複数の入力信号を受けて表示することが可能な表示装置を提供する。【解決手段】画像信号線駆動回路１１および１２のそれぞれは、自らおよび他の画像信号線駆動回路を制御する制御信号を生成するタイミングコントローラ２５と、外部から与えられる選択信号ＳＬに基づいて、自らをマスターモードの画像信号線駆動回路、あるいはスレーブモードの画像信号線駆動回路に設定するマスター／スレーブ選択回路４２とを有し、複数の画像信号線駆動回路のうち、マスターモードの画像信号線駆動回路が、スレーブモードの画像信号線駆動回路に制御信号を与える。【選択図】図６
2014228715.tif 000002
【特許請求の範囲】
【請求項１】
複数の画像信号線と複数の走査線とがマトリクス状に形成された表示パネルと、
前記表示パネルの周辺に配置され、前記複数の画像信号線を駆動する複数の画像信号線駆動回路と、
前記表示パネルの周辺に配置され、前記複数の走査線を駆動する走査線駆動回路と、を備え、
前記複数の画像信号線駆動回路のそれぞれは、
自らおよび他の画像信号線駆動回路を制御する制御信号を生成するタイミングコントローラと、
外部から与えられる選択信号に基づいて、自らをマスターモードの画像信号線駆動回路、あるいはスレーブモードの画像信号線駆動回路に設定するマスター／スレーブ選択回路と、を有し、
前記複数の画像信号線駆動回路のうち、前記マスターモードの画像信号線駆動回路が、前記スレーブモードの画像信号線駆動回路に前記制御信号を与える、表示装置。
【請求項２】
前記複数の画像信号線駆動回路のそれぞれは、
自らの動作異常を検出する異常検出回路をさらに有し、
前記異常検出回路は、異常を検出した場合にマスター／スレーブ切替信号を前記外部に出力して前記選択信号を変更し、前記スレーブモードの画像信号線駆動回路をマスターモードとし、前記マスターモードの画像信号線駆動回路をスレーブモードとする、請求項１記載の表示装置。
【請求項３】
複数の画像信号線と複数の走査線とがマトリクス状に形成された表示パネルと、
前記表示パネルの周辺に配置され、前記複数の画像信号線を駆動する複数の画像信号線駆動回路と、
前記表示パネルの周辺に配置され、前記複数の走査線を駆動する走査線駆動回路と、を備え、
前記複数の画像信号線駆動回路のそれぞれは、
画像信号線を駆動するための入力信号に基づいて、自らおよび他の画像信号線駆動回路を制御する制御信号を生成するタイミングコントローラと、
前記入力信号を検出し、前記入力信号が自機に与えられるべき信号であるか否かを検出し、自機に与えられるべき信号である場合には、自らをマスターモードの画像信号線駆動回路に設定するマスター選択信号を出力する入力信号検出回路と、
前記マスター選択信号を受け、自らを前記マスターモードの画像信号線駆動回路、あるいはスレーブモードの画像信号線駆動回路に設定するマスター／スレーブ選択回路と、を有し、
前記複数の画像信号線駆動回路のうち、前記マスターモードの画像信号線駆動回路が、前記スレーブモードの画像信号線駆動回路に前記制御信号を与える、表示装置。
【請求項４】
前記入力信号検出回路は、
前記制御信号の周期および電圧レベルが、自機に固有の規定値と一致するか否かを検出することで、前記入力信号が自機に与えられるべき信号であるか否かを検出する、請求項３記載の表示装置。
【請求項５】
複数の画像信号線と複数の走査線とがマトリクス状に形成された表示パネルと、
前記表示パネルの周辺に配置され、前記複数の画像信号線を駆動する複数の画像信号線駆動回路と、
前記表示パネルの周辺に配置され、前記複数の走査線を駆動する走査線駆動回路と、
前記複数の画像信号線駆動回路の外部に設けられ、画像信号線を駆動するための入力信号を検出し、前記入力信号が前記複数の画像信号線駆動回路の何れに与えられるべき信号であるかを検出し、該当する画像信号線駆動回路に対してマスターモードの画像信号線駆動回路に設定するマスター選択信号を出力する入力信号検出回路と、を備え、
前記複数の画像信号線駆動回路のそれぞれは、
前記入力信号に基づいて、自らおよび他の画像信号線駆動回路を制御する制御信号を生成するタイミングコントローラと、
前記マスター選択信号を受け、自らを前記マスターモードの画像信号線駆動回路、あるいはスレーブモードの画像信号線駆動回路に設定するマスター／スレーブ選択回路と、を有し、
前記複数の画像信号線駆動回路のうち、前記マスターモードの画像信号線駆動回路が、前記スレーブモードの画像信号線駆動回路に前記制御信号を与える、表示装置。
【請求項６】
前記複数の画像信号線駆動回路のそれぞれは、
自らの動作異常を検出する異常検出回路をさらに有し、
前記異常検出回路は、異常を検出した場合にマスター／スレーブ切替信号を、前記マスターモードの画像信号線駆動回路の前記マスター／スレーブ選択回路および前記スレーブモードの画像信号線駆動回路の前記マスター／スレーブ選択回路に与え、前記スレーブモードの画像信号線駆動回路をマスターモードとし、前記マスターモードの画像信号線駆動回路をスレーブモードとする、請求項３または請求項５記載の表示装置。
【請求項７】
前記入力信号検出回路は、
前記複数の画像信号線駆動回路に含まれる前記タイミングコントローラと同じ構成を有し、
前記タイミングコントローラが出力する前記制御信号の周期および電圧レベルが、前記複数の画像信号線駆動回路の何れに固有の規定値と一致するか否かを検出することで、前記入力信号が前記複数の画像信号線駆動回路の何れに与えられるべき信号であるか否かを検出する、請求項５記載の表示装置。
【請求項８】
前記異常検出回路は、
前記マスターモードの画像信号線駆動回路内の前記タイミングコントローラの消費電流異常を検出する、請求項２または請求項６記載の表示装置。
【請求項９】
前記制御信号は、
前記複数の走査線駆動回路に与えられるカスケード信号およびゲート制御信号を含み、
前記複数の画像信号線駆動回路のそれぞれは、
前記スレーブモードの画像信号線駆動回路がマスターモードとなった場合に、新たなマスターモードの画像信号線駆動回路が出力する前記カスケード信号および前記ゲート制御信号を受けて、前記走査線駆動回路に与える伝送回路を有する、請求項１、３および５の何れか１項に記載の表示装置。
【発明の詳細な説明】
【技術分野】
【０００１】
本発明は液晶表示装置等の表示装置に関し、特に、アクティブマトリクス型の表示装置に関する。
【背景技術】
【０００２】
液晶表示装置等の表示装置は、昨今では、家庭用ＴＶから産業用ディスプレイまで幅広い分野で使用されている。
【０００３】
例えば、液晶表示装置の構成は、液晶パネルと、液晶パネルを駆動する駆動装置とに大別される。従来の駆動装置は、複数の画像信号線駆動回路と、複数の走査線駆動回路と、これらの駆動回路を駆動する制御回路としてのタイミングコントローラとを含んでいる。
【０００４】
各画像信号線駆動回路は液晶パネルの画像信号線を駆動するための集積回路であり、当該集積回路を複数個用いて液晶パネルの全ての画像信号線を駆動する。同様に、各走査線駆動回路は液晶パネルの走査線を駆動するための集積回路であり、当該集積回路を複数個用いて液晶パネルの全ての走査線を駆動する。
【０００５】
タイミングコントローラは、画像データと、画像信号線駆動回路および走査線駆動回路を制御する際の基準となる制御基準信号と、処理を行う際の基準となるドットクロック（ＤＣＬＫ）とを受け取る。上記の制御基準信号には、液晶パネルの水平方向の同期を取るための基準信号として用いられる水平同期信号（ＨＤ）、液晶パネルの垂直方向の同期を取るための基準信号として用いられる垂直同期信号（ＶＤ）、画像データが有効である期間を示すデータイネーブル信号（ＤＥＮＡ）等が含まれる。
【０００６】
昨今では、特許文献１に開示されるように、タイミングコントローラを搭載した（内蔵した）画像信号線駆動回路が開発されている。かかる画像信号線駆動回路によれば、タイミングコントローラ用の回路基板が不要になるので、部材コストを削減することができる。その結果、液晶表示装置の低価格化を図ることができる。
【０００７】
ここで、タイミングコントローラを内蔵した画像信号線駆動回路は液晶表示装置に複数個が設けられる。しかし、タイミングコントローラ自体は１つあれば足りる。このため、複数の画像信号線駆動回路のうちの１つをマスターモードで用い、残りの画像信号線駆動回路をスレーブモードで用いる。より具体的には、マスターモードの画像信号線駆動回路は自身のタイミングコントローラに基づいて動作し、スレーブモードの画像信号線駆動回路はマスターモードの画像信号線駆動回路のタイミングコントローラから制御信号を受けて動作する。この場合、スレーブモードの画像信号線駆動回路のタイミングコントローラを停止させることによって、消費電力を低減することができる。
【先行技術文献】
【特許文献】
【０００８】
【特許文献１】特開２０１０−１９０９３２号公報
【発明の概要】
【発明が解決しようとする課題】
【０００９】
タイミングコントローラを内蔵した画像信号線駆動回路は、低コストを目的にタブレット端末やノート型ＰＣ等の民生向けに展開されており、今後も、車載向けなど、更なる適用拡大が見込まれている。
【００１０】
しかし、上述したように、スレーブモードの画像信号線駆動回路の機能は、停止しているか、一部の動作にとどまり、有効的に機能していなかった。
【００１１】
本発明は上記のような問題点を解消するためになされたもので、スレーブモードの画像信号線駆動回路の機能を有効に活用して、複数の入力信号を受けて表示することが可能な表示装置を提供することを目的とする。
【課題を解決するための手段】
【００１２】
本発明に係る表示装置は、複数の画像信号線と複数の走査線とがマトリクス状に形成された表示パネルと、前記表示パネルの周辺に配置され、前記複数の画像信号線を駆動する複数の画像信号線駆動回路と、前記表示パネルの周辺に配置され、前記複数の走査線を駆動する走査線駆動回路とを備え、前記複数の画像信号線駆動回路のそれぞれは、自らおよび他の画像信号線駆動回路を制御する制御信号を生成するタイミングコントローラと、外部から与えられる選択信号に基づいて、自らをマスターモードの画像信号線駆動回路、あるいはスレーブモードの画像信号線駆動回路に設定するマスター／スレーブ選択回路とを有し、前記複数の画像信号線駆動回路のうち、前記マスターモードの画像信号線駆動回路が、前記スレーブモードの画像信号線駆動回路に前記制御信号を与える。
【発明の効果】
【００１３】
本発明に係る表示装置によれば、外部から与えられる選択信号に基づいて何れか１つの画像信号線駆動回路をマスターとして動作させるので、複数の画像信号線駆動回路にそれぞれ異なる入力信号を与え、選択信号により複数の入力信号を表示装置に切り替えて表示することが可能となる。
【図面の簡単な説明】
【００１４】
【図１】液晶表示装置の概略構成を示すブロック図である。
【図２】画像信号線駆動回路の内部構成を示すブロック図である。
【図３】マスターの画像信号線駆動回路に異常が発生した場合のスレーブの画像信号線駆動回路によるバックアップを説明する図である。
【図４】本発明に係る実施の形態１の液晶表示装置の概略構成を示すブロック図である。
【図５】マスター／スレーブ選択回路の動作を説明するブロック図である。
【図６】本発明に係る実施の形態１の液晶表示装置における画像信号線駆動回路の構成と、信号の流れを示す図である。
【図７】異常検出回路の構成を示すブロック図である。
【図８】本発明に係る実施の形態１の変形例における画像信号線駆動回路の構成と、信号の流れを示す図である。
【図９】本発明に係る実施の形態２の液晶表示装置の画像信号線駆動回路に含まれる、入力信号検出回路の構成を示す図である。
【図１０】本発明に係る実施の形態２の液晶表示装置における画像信号線駆動回路の構成と、信号の流れを示す図である。
【図１１】本発明に係る実施の形態３の液晶表示装置における画像信号線駆動回路の構成と、接続基板上に設けられた入力信号検出回路および信号の流れを示す図である。
【図１２】本発明に係る実施の形態４の液晶表示装置における画像信号線駆動回路の構成と、接続基板上に設けられた配線部での信号の流れを示した図である。
【発明を実施するための形態】
【００１５】
＜始めに＞
実施の形態の説明に先だって、タイミングコントローラを内蔵した画像信号線駆動回路を複数備える液晶表示装置と、複数の画像信号線駆動回路におけるマスターモードおよびスレーブモードの動作について説明する。
【００１６】
図１は、液晶表示装置１０の概略構成を示すブロック図であり、画像信号線１０１と走査線１０２とがマトリクス状に形成された液晶パネル９を駆動するための周辺回路を示している。なお、液晶表示装置１０は、画像信号線１０１と走査線１０２との交差部に薄膜トランジスタ（ＴＦＴ）等のアクティブ素子が設けられたアクティブマトリクス型の表示装置であるが、この構成については従来的なものであるので説明は省略する。また、以下では液晶表示装置として説明するが、本発明はアクティブマトリクス型の表示装置であれば適用可能であり、液晶表示装置に限定されるものではなく、プラズマディスプレイや有機ＥＬディスプレイ等にも適用可能である。
【００１７】
画像信号線１０１を駆動するための画像信号線駆動回路１１および１２と、走査線１０２を駆動するための走査線駆動回路１３（「ゲートドライバー」と呼称）が、液晶パネル９の周囲に設けられている。なお、図１では、便宜的に画像信号線駆動回路は２つ、走査線駆動回路は１つしか示していないが、現実的には、それぞれ多数が配置されている。
【００１８】
画像信号線駆動回路１１および１２は、どちらもタイミングコントローラを内蔵しているが、この例では画像信号線駆動回路１１をマスターモードの画像信号線駆動回路（「マスター」と呼称）とし、画像信号線駆動回路１２をスレーブモードの画像信号線駆動回路（「スレーブ」と呼称）としている。
【００１９】
画像信号線駆動回路１１は、外部から処理を行う際の基準となるドットクロック（ＤＣＬＫ）や、液晶パネルの水平方向の同期を取るための基準信号として用いられる水平同期信号（ＨＤ）、液晶パネルの垂直方向の同期を取るための基準信号として用いられる垂直同期信号（ＶＤ）、画像データが有効である期間を示すデータイネーブル信号（ＤＥＮＡ）等を含む制御基準信号を受け、それらに基づいて画像信号線駆動回路１２を制御する制御信号を生成して配線部１４を介して画像信号線駆動回路１２に与え、また走査線駆動回路１３を制御する制御信号を生成して配線部１５を介して走査線駆動回路１３に与える構成となっている。
【００２０】
図２は、画像信号線駆動回路１１および１２の内部構成を示すブロック図である。なお、両者の構成は同じであるので、参照符合も同じとする。
【００２１】
図２に示すように、画像信号線駆動回路１１（および１２）は、ガンマ（Gamma）生成回路２１、入力データ・デコーダー回路２２、制御信号インターフェース回路２３、電源回路２４、タイミングコントローラ２５、カスケード信号／制御信号生成回路２６、ソースドライバー回路２７、ゲートドライバー用制御信号生成回路２８を有している。
【００２２】
タイミングコントローラ２５は、入力データ・デコーダー回路２２および制御信号インターフェース回路２３に接続され、画像データと、画像信号線駆動回路および走査線駆動回路を制御する際の基準となる制御基準信号と、処理を行う際の基準となるドットクロックを受け取り、ソースドライバー回路２７およびゲートドライバー用制御信号生成回路２８に与える制御信号を生成する回路である。
【００２３】
ガンマ生成回路２１は、画像データに対してガンマ補正を行う回路であり、入力データ・デコーダー回路２２は、入力データをデコードする回路であり、制御信号インターフェース回路２３は、制御信号のインターフェース回路である。
【００２４】
また、カスケード信号／制御信号生成回路２６は、走査線駆動回路のカスケード接続された複数のシフトレジスタを制御するカスケード信号を生成する回路であり、走査線駆動回路１３に与えられる。
【００２５】
ソースドライバー回路２７は、画像信号線を駆動する回路であり、ゲートドライバー用制御信号生成回路２８は、走査線駆動回路１３に与えるゲート制御信号を生成する回路である。
【００２６】
図２において、画像信号線駆動回路１１と１２とは配線部１４を介して接続され、画像信号線駆動回路１２はスレーブとして動作するので、タイミングコントローラ２５、カスケード信号／制御信号生成回路２６およびゲートドライバー用制御信号生成回路２８は不使用状態にある。
【００２７】
しかし、図３に示すように、画像信号線駆動回路１１のタイミングコントローラ２５、カスケード信号／制御信号生成回路２６およびゲートドライバー用制御信号生成回路２８の何れかに異常が発生した場合、スレーブ側の画像信号線駆動回路１２のタイミングコントローラ２５、カスケード信号／制御信号生成回路２６およびゲートドライバー用制御信号生成回路２８が使用状態となり、画像信号線駆動回路１２がマスターモードとなる。
【００２８】
＜実施の形態１＞
以下、本発明に係る実施の形態１として、複数の画像信号線駆動回路に入力信号を与え、外部からの選択信号により、何れか１つの画像信号線駆動回路をマスターモードの画像信号線駆動回路として（マスターとして）選択する構成について説明する。
【００２９】
図４は、画像信号線駆動回路１１および１２にそれぞれ入力信号が与えられる液晶表示装置１０Ａの概略構成を示すブロック図であり、図１に示した液晶表示装置１０と同じ構成には同じ符号を付している。
【００３０】
画像信号線駆動回路１１および１２には、外部から、先に説明したＤＣＬＫ、ＨＤ、ＶＤおよびＤＥＮＡ等を含む制御基準信号が、それぞれ入力信号１００および２００として与えられると共に、画像信号線駆動回路１１および１２のどちらをマスターとするかを選択する選択信号ＳＬが与えられる構成となっている。
【００３１】
なお、入力信号１００および２００は、ＣＭＯＳ（Complementary Metal Oxide Semiconductor）、ＬＶＤＳ（Low Voltage Differencial Signaling）、Ｍｉｐｉ（Mobile Industry Processor Interface）およびＤＶＩ（Digital Visual Interface）などの種々のインターフェース規格に基づいて与えられる。
【００３２】
図５は、画像信号線駆動回路１２に含まれるマスター／スレーブ選択回路４２の機能を説明するブロック図である。マスター／スレーブ選択回路４２は、外部からの選択信号ＳＬを受け、画像信号線駆動回路１２をスレーブモード、またはマスターモードの画像信号線駆動回路として選択する回路であり、選択信号がタイミングコントローラ２５、カスケード信号／制御信号生成回路２６およびゲートドライバー用制御信号生成回路２８に与えられる構成となっている。選択信号が与えられたこれらの回路は、マスターモードで動作することになる。図５の例では、画像信号線駆動回路１２がマスターとして選択されるように選択信号ＳＬが与えられた場合を示している。
【００３３】
図６は、実施の形態１の液晶表示装置１０Ａにおける画像信号線駆動回路１１および１２の構成と、信号の流れを示した図である。図６に示すように、画像信号線駆動回路１１にも同じマスター／スレーブ選択回路４２を有しており、画像信号線駆動回路１１がマスターとして選択されるように選択信号ＳＬが与えられた場合には、画像信号線駆動回路１１がマスターモードで動作する。図６の例では、選択信号ＳＬは、画像信号線駆動回路１２をマスターとして選択するように与えられるので、画像信号線駆動回路１１に与えられる選択信号ＳＬは破線で示している。
【００３４】
そして、マスターとして動作する画像信号線駆動回路１２では、入力信号２００に基づいて、カスケード信号／制御信号生成回路２６でカスケード信号を生成し、ゲートドライバー用制御信号生成回路２８でゲート制御信号を生成し、これらを配線部１４を介してスレーブとして動作する画像信号線駆動回路１１に与える。これらは、画像信号線駆動回路１１内のゲート信号カスケード信号伝送回路５１を経由して走査線駆動回路１３に与えられる。
【００３５】
このような構成を採ることで、何れの画像信号線駆動回路がマスターとなった場合でも、カスケード信号およびゲート制御信号を走査線駆動回路１３に与えることができる。
【００３６】
一方、スレーブとして動作する画像信号線駆動回路１１には入力信号１００が与えられるが、入力信号１００を受けても画像信号線駆動回路１１はマスターとして動作しないので、画像信号線駆動回路１１に与えられる入力信号１００は破線で示している。
【００３７】
なお、入力信号１００および２００は、それぞれ画像信号線駆動回路１１および１２に同時に与えられる場合もあるが、選択信号ＳＬと同期して異なるタイミングで与えられる場合もある。
【００３８】
このように、本発明に係る実施の形態１の液晶表示装置１０Ａによれば、外部からの選択信号ＳＬにより、何れか１つの画像信号線駆動回路をマスターとして動作させてカスケード信号およびゲート制御信号を生成し走査線駆動回路１３を制御するので、複数の画像信号線駆動回路にそれぞれ異なる入力信号を与え、選択信号ＳＬにより複数の入力信号を液晶表示装置１０Ａに切り替えて表示することが可能となる。例えば、ビデオカメラなどの外部機器が複数ある場合に、それらで撮像された異なる画像を液晶表示装置１０Ａに切り替えて表示するような動作が可能となる。
【００３９】
＜変形例＞
以上説明した実施の形態１においては、複数の画像信号線駆動回路にそれぞれ異なる入力信号を与える構成について説明したが、複数の画像信号線駆動回路に同一の入力信号を与える構成とし、マスターモードの画像信号線駆動回路の異常を検出した場合には、自動的に、スレーブモードの画像信号線駆動回路をマスターモードに切り替える構成としても良い。以下、図７および図８を用いて当該構成について説明する。
【００４０】
図７は、画像信号線駆動回路１１に異常検出回路３１を備えた構成を示している。異常検出回路３１は、タイミングコントローラ２５の電源入力部に接続され、電流−電圧変換（ＩＶ変換）により、タイミングコントローラ２５の消費電流を電圧に変換するＩＶ変換回路３１１と、コンパレータ３１２とを有している。
【００４１】
ＩＶ変換回路３１１の出力電圧は、コンパレータ３１２に与えられ、コンパレータ３１２において予め定められた参照電圧と比較される。そして、ＩＶ変換回路３１１の出力電圧が参照電圧よりも高いような場合は、タイミングコントローラ２５の消費電流が増大したものとしてマスター／スレーブ切替信号４１を出力する構成となっている。なお、上記ではタイミングコントローラ２５の消費電流が増大した場合に異常として検出する構成を示したが、消費電流が既定値よりも減少した場合も異常として検出しても良い。
【００４２】
また、異常の検出は、タイミングコントローラ２５に限定されるものではなく、カスケード信号／制御信号生成回路２６やゲートドライバー用制御信号生成回路２８の異常を検出する構成としても良い。
【００４３】
図８は、画像信号線駆動回路１１に異常検出回路３１を備えた構成において、画像信号線駆動回路１１で消費電流異常が検出された場合のマスター／スレーブ切り替え動作を説明する図である。
【００４４】
図８に示すように、マスターとして動作する画像信号線駆動回路１１に内蔵される異常検出回路３１が、タイミングコントローラ２５（図７）の消費電流が増大したことを検出し、消費電流異常と判断してマスター／スレーブ切替信号４１を外部の選択信号生成部（図示せず）に向けて出力する。マスター／スレーブ切替信号４１を受けた選択信号生成部では、当該マスター／スレーブ切替信号４１を出力する画像信号線駆動回路１１がマスターモードの画像信号線駆動回路として選択されないように（画像信号線駆動回路１２がマスターモードの画像信号線駆動回路として選択されるように）、選択信号ＳＬを変更する。
【００４５】
なお、画像信号線駆動回路１２がマスターとして選択されるので、図８に示すように画像信号線駆動回路１１に与えられる選択信号ＳＬは破線で示している。
【００４６】
そして、マスターとして動作する画像信号線駆動回路１２では、入力信号１００に基づいて、カスケード信号／制御信号生成回路２６でカスケード信号を生成し、ゲートドライバー用制御信号生成回路２８でゲート制御信号を生成し、これらを配線部１４を介してスレーブとして動作する画像信号線駆動回路１１に与える。これらは、画像信号線駆動回路１１内のゲート信号カスケード信号伝送回路５１を経由して走査線駆動回路１３に与えられる。
【００４７】
一方、スレーブとして動作する画像信号線駆動回路１１にも入力信号１００が与えられるが、入力信号１００を受けても画像信号線駆動回路１１はマスターとして動作しないので、画像信号線駆動回路１１に与えられる入力信号１００は破線で示している。
【００４８】
このように、マスターモードの画像信号線駆動回路の異常を検出し、自動的に、スレーブモードの画像信号線駆動回路をマスターモードに切り替え、カスケード信号およびゲート制御信号を生成するので、マスターに異常が発生した場合のスレーブによるバックアップ動作（Fail-Safe）を可能にすることができる。
【００４９】
＜実施の形態２＞
次に、本発明に係る実施の形態２として、複数の画像信号線駆動回路に同じ入力信号を与える構成において、複数の画像信号線駆動回路にそれぞれ内蔵される入力信号検出回路により、与えられた入力信号が自機に与えられるべき信号であるか否かを検出し、自機に与えられるべき信号である場合には、マスターとして動作する構成について説明する。
【００５０】
図９は、画像信号線駆動回路１２に含まれる入力信号検出回路６１の構成を示すブロック図である。入力信号２００は、入力データ・デコーダー回路２２および制御信号インターフェース回路２３により所定の処理を施された後、タイミングコントローラ２５、カスケード信号／制御信号生成回路２６およびゲートドライバー用制御信号生成回路２８に与えられる。
【００５１】
入力信号検出回路６１は、制御信号（タイミングコントローラ２５、カスケード信号／制御信号生成回路２６やゲートドライバー用制御信号生成回路２８で生成される）の周期や電圧レベル等を検知する回路であり、タイミングコントローラ２５、カスケード信号／制御信号生成回路２６およびゲートドライバー用制御信号生成回路２８の出力する制御信号の信号周期を検出するカウンター６１１と、カウンター６１１に接続されたコンパレータ６１２を有している。また、タイミングコントローラ２５、カスケード信号／制御信号生成回路２６およびゲートドライバー用制御信号生成回路２８の出力する制御信号の電圧レベルを検出するコンパレータ６１３と、コンパレータ６１２およびコンパレータ６１３の出力を増幅して出力する増幅器６１４とを有している。
【００５２】
カウンター６１１で検出された信号周期は、コンパレータ６１２において予め定められた信号周期と比較され、カウンター６１１で検出された信号周期が既定値と同じである場合は、当該制御信号が自機に与えられるべき入力信号に基づいて生成された信号であるものとして増幅器６１４からマスター選択信号６２を出力する構成となっている。なお、当該規定値は個々の画像信号線駆動回路ごとに固有に定められている。
【００５３】
また、タイミングコントローラ２５、カスケード信号／制御信号生成回路２６およびゲートドライバー用制御信号生成回路２８の出力する制御信号の電圧レベルがコンパレータ６１３において予め定められた電圧レベルと比較され、制御信号の電圧レベルが既定値と同じである場合は、当該制御信号が自機に与えられるべき入力信号に基づいて生成された信号であるものとして増幅器６１４からマスター選択信号６２を出力する構成となっている。
【００５４】
また、画像信号線駆動回路１２には、マスター／スレーブ選択回路４２が設けられており、入力信号検出回路６１からマスター選択信号６２が与えられる構成となっている。
【００５５】
図１０は、実施の形態２の液晶表示装置１０Ｂにおける画像信号線駆動回路１１および１２の構成と、信号の流れを示した図である。図１０に示すように、マスター選択信号６２が与えられたマスター／スレーブ選択回路４２は、実施の形態１と同様の動作を行い、マスターとして動作する画像信号線駆動回路１２のカスケード信号／制御信号生成回路２６で生成されたカスケード信号および、ゲートドライバー用制御信号生成回路２８で生成されたゲート制御信号を、配線部１４を介して画像信号線駆動回路１１に与える。カスケード信号およびゲート制御信号は、画像信号線駆動回路１１内のゲート信号カスケード信号伝送回路５１を経由して走査線駆動回路１３に与えられる。
【００５６】
なお、画像信号線駆動回路１１も同じ入力信号検出回路６１とマスター／スレーブ選択回路４２とを有しており、画像信号線駆動回路１１に与えられた入力信号が、自機に与えられるべき入力信号である場合には画像信号線駆動回路１１がマスターモードで動作する。図１０の例では、入力信号２００が画像信号線駆動回路１２に与えられるべき信号であり、画像信号線駆動回路１２がマスターとして動作するので、入力信号２００を受けても画像信号線駆動回路１１はマスターとして動作せず、画像信号線駆動回路１１に与えられる入力信号２００は破線で示している。
【００５７】
なお、複数の画像信号線駆動回路に、それぞれ異なる入力信号が同時に与えられ、何れもが、それぞれの画像信号線駆動回路をマスターとして動作させる入力信号であるような場合には、予めそれぞれの画像信号線駆動回路に設定した優先度に基づいて、マスターとして動作させる画像信号線駆動回路を決定するように構成することで、複数の画像信号線駆動回路に、それぞれ異なる入力信号が与えられるような場合にも対応することができる。
【００５８】
このように、本発明に係る実施の形態２の液晶表示装置１０Ｂによれば、複数の画像信号線駆動回路にそれぞれ内蔵される入力信号検出回路により、与えられた入力信号が自機に与えられるべき信号であるか否かを検出し、自機に与えられるべき信号である場合には、自機をマスターとして動作させてカスケード信号およびゲート制御信号を生成し走査線駆動回路１３を制御することができる。このため、外部から選択信号を与えることなく画像信号線駆動回路のマスターおよびスレーブを自動的に設定することができる。
【００５９】
＜変形例＞
以上説明した実施の形態２においては、複数の画像信号線駆動回路にそれぞれ異なる入力信号を与える構成について説明したが、複数の画像信号線駆動回路に同一の入力信号を与える構成とし、図７を用いて説明した異常検出回路３１をそれぞれの画像信号線駆動回路に備え、マスターモードの画像信号線駆動回路の異常を検出した場合には、自動的に、スレーブモードの画像信号線駆動回路をマスターモードに切り替える構成としても良い。
【００６０】
この場合、スレーブモードからマスターモードに切り替えられた画像信号線駆動回路の入力信号検出回路６１では、入力信号が自機に与えられべき信号とは判断せず、マスター選択信号６２は出力しないが、異常検出回路３１が出力するマスター／スレーブ切替信号４１もマスター／スレーブ選択回路４２に与えられる構成としておくことで、自機をマスターとして選択することができる。
【００６１】
このように、マスターモードの画像信号線駆動回路の異常を検出し、自動的に、スレーブモードの画像信号線駆動回路をマスターモードに切り替え、カスケード信号およびゲート制御信号を生成するので、マスターに異常が発生した場合のスレーブによるバックアップ動作（Fail-Safe）を可能にすることができる。
【００６２】
＜実施の形態３＞
次に、本発明に係る実施の形態３として、入力信号検出回路を画像信号線駆動回路の外部に備え、入力信号を入力信号検出回路で選別して、マスター選択信号と共に所定の画像信号線駆動回路に与える構成について説明する。
【００６３】
図１１は、実施の形態３の液晶表示装置１０Ｃにおける画像信号線駆動回路１１および１２の構成と、ＦＰＣ（Flexible Printed Circuit）等の接続基板９１上に設けられた入力信号検出回路６１Ａと信号の流れを示した図である。
【００６４】
図１１に示すように、接続基板９１上に設けられた入力信号検出回路６１Ａは、接続基板９１を介して外部から与えられる入力信号１００および２００を受け、入力信号が画像信号線駆動回路１１および１２の何れに与えられるべき信号であるかを検出し、例えば、画像信号線駆動回路１２に与えられるべき信号である場合には、マスター選択信号６２を画像信号線駆動回路１２に与えると共に、入力信号２００を画像信号線駆動回路１２に与える構成となっている。
【００６５】
入力信号検出回路６１Ａの構成は、例えば、図９を用いて説明した入力信号検出回路６１を複数有した構成とし、また、これらに共通する構成として、図９に示した入力データ・デコーダー回路２２および制御信号インターフェース回路２３、タイミングコントローラ２５、カスケード信号／制御信号生成回路２６およびゲートドライバー用制御信号生成回路２８を有した構成を採ることができる。
【００６６】
すなわち、タイミングコントローラ２５、カスケード信号／制御信号生成回路２６およびゲートドライバー用制御信号生成回路２８の出力が、複数の入力信号検出回路６１にそれぞれ並列に入力される構成とする。
【００６７】
そして、複数の入力信号検出回路６１のそれぞれにおいて、制御信号の信号周期および電圧レベルと既定値との比較を行い、規定値と一致する入力信号検出回路６１からはマスター選択信号６２が出力される。なお、当該規定値は個々の画像信号線駆動回路ごとに固有に定められている。
【００６８】
なお、複数の入力信号検出回路６１のそれぞれは、所定の画像信号線駆動回路と１対１で対応するように関連づけられ、マスター選択信号６２が与えられた画像信号線駆動回路がマスターとして動作する。図１１の例では、マスター選択信号６２は、画像信号線駆動回路１２をマスターとして選択するように与えられるので、画像信号線駆動回路１１に与えられるマスター選択信号６２は、破線で示している。
【００６９】
マスター選択信号６２が与えられたマスター／スレーブ選択回路４２は、マスターとして動作する画像信号線駆動回路１２のカスケード信号／制御信号生成回路２６で生成されたカスケード信号および、ゲートドライバー用制御信号生成回路２８で生成されたゲート制御信号を、配線部１４を介して画像信号線駆動回路１１に与える。カスケード信号およびゲート制御信号は、画像信号線駆動回路１１内のゲート信号カスケード信号伝送回路５１を経由して走査線駆動回路１３に与えられる。
【００７０】
また、入力信号検出回路６１Ａから出力される入力信号は複数の画像信号線駆動回路に共通に与えられるが、マスター選択信号６２が与えられない画像信号線駆動回路はマスターとして動作しないので、当該入力信号は使用されない。図１１の例では、スレーブとして動作する画像信号線駆動回路１１にも入力信号２００が与えられるが、入力信号２００を受けても画像信号線駆動回路１１はマスターとして動作しないので、画像信号線駆動回路１１に与えられる入力信号２００は破線で示している。
【００７１】
また、入力信号検出回路６１Ａの配設位置は接続基板９１上に限定されるものではなく、画像信号線駆動回路１１および１２を搭載するガラス基板上に配設しても良い。
【００７２】
このように、本発明に係る実施の形態３の液晶表示装置１０Ｃによれば、入力信号検出回路６１Ａを接続基板９１上やガラス基板上に設けるので、画像信号線駆動回路に内蔵する場合に比べて画像信号線駆動回路を小型化することができる。
【００７３】
また、図７を用いて説明した異常検出回路３１をそれぞれの画像信号線駆動回路に備え、マスターモードの画像信号線駆動回路の異常を検出した場合には、自動的に、スレーブモードの画像信号線駆動回路をマスターモードに切り替える構成としても良い。
【００７４】
このように、マスターモードの画像信号線駆動回路の異常を検出し、自動的に、スレーブモードの画像信号線駆動回路をマスターモードに切り替え、カスケード信号およびゲート制御信号を生成するので、マスターに異常が発生した場合のスレーブによるバックアップ動作（Fail-Safe）を可能にすることができる。
【００７５】
＜実施の形態４＞
図１２は、実施の形態４の液晶表示装置１０Ｄにおける画像信号線駆動回路１１および１２の構成と、ＦＰＣ等の接続基板９１上に設けられた配線部１４での信号の流れを示した図である。
【００７６】
図１２に示すように、接続基板９１上には、マスターとして動作する画像信号線駆動回路１１の内部に設けた異常検出回路３１が、例えばタイミングコントローラ２５の異常を検出した場合に出力するマスター／スレーブ切替信号４１を送信する配線部１６、および画像信号線駆動回路１１の異常動作時に、マスターとして動作する画像信号線駆動回路１２のカスケード信号／制御信号生成回路２６で生成されたカスケード信号および、ゲートドライバー用制御信号生成回路２８で生成されたゲート制御信号等の制御信号を送信する配線部１４が配設されている。
【００７７】
画像信号線駆動回路１１に異常動作が発生した場合、異常検出回路３１から出力されるマスター／スレーブ切替信号４１が画像信号線駆動回路１２のマスター／スレーブ選択回路４２に与えられ、画像信号線駆動回路１２がマスターとして動作する。
【００７８】
このように、本発明に係る実施の形態４の液晶表示装置によれば、マスター／スレーブ切替信号４１を送信する配線部１６や制御信号を送信する配線部１４をＦＰＣ等の接続基板９１上に設けることで、それらをガラス基板上に設ける場合に比べて低抵抗にすることができ、液晶表示装置の信頼性を高めることができる。
【００７９】
なお、配線部１４を接続基板９１上に設けることは、図６に示した実施の形態１の液晶表示装置１０Ａ、図１０に示した実施の形態２の液晶表示装置１０Ｂ、図１１に示した実施の形態３の液晶表示装置１０Ｃにおいて行っても良いことは言うまでもない。
【００８０】
なお、本発明は、その発明の範囲内において、各実施の形態を自由に組み合わせたり、各実施の形態を適宜、変形、省略することが可能である。
【符号の説明】
【００８１】
９  表示パネル、１１，１２  画像信号線駆動回路、１３  走査線駆動回路、３１，３１Ａ  異常検出回路、４１  マスター／スレーブ切替信号、４２  マスター／スレーブ選択回路、１０１  画像信号線、１０２  走査線、ＳＬ  選択信号。
【図１】
2014228715.tif 000003
【図２】
2014228715.tif 000004
【図３】
2014228715.tif 000005
【図４】
2014228715.tif 000006
【図５】
2014228715.tif 000007
【図６】
2014228715.tif 000008
【図７】
2014228715.tif 000009
【図８】
2014228715.tif 000010
【図９】
2014228715.tif 000011
【図１０】
2014228715.tif 000012
【図１１】
2014228715.tif 000013
【図１２】
2014228715.tif 000014